(57)【要約】【課題】吸込み性能を良好に維持でき、また、ブロアーとして使用する第二排気口部及び、第一排気口部から放出される排気の洗浄度を向上させた電気掃除機を提供することを目的とする。【解決手段】電動送風機１３の吸気下流側に配設した塵埃捕集用のフィルター２９と、前記電動送風機１３からの排気を本体外に放出する第一排気口部２４、第二排気口部２５とを備え、前記第二排気口部２５にはアタッチメントおよび／またはアタッチメントに接続された接続部が接続可能であるとともに、前記塵埃捕集用のフィルター２９を通過後の排気が、前記第一排気口部２４及び第二排気口部２５を通過するよう構成したもので、電動送風機から排出される排気に含まれた微細な塵埃はフィルターで捕集され、その後、第一排気口部及び、ブロアーとして使用する第二排気口部から放出される為、汚れた空気を放出することがなく、排気の洗浄度が向上する。【選択図】  図７
2005006880.tif 000002
【特許請求の範囲】
【請求項１】
吸引風を発する電動送風機と、前記電動送風機の吸気下流側に配設した塵埃捕集用のフィルターと、前記電動送風機からの排気を本体外に放出する第一排気口部、第二排気口部とを備え、前記第二排気口部にはアタッチメントおよび／またはアタッチメントに接続された接続部が接続可能であるとともに、前記塵埃捕集用のフィルターを通過後の排気が、前記第一排気口部及び第二排気口部を通過するよう構成した電気掃除機。
【請求項２】
電動送風機からの排気が、フィルターを複数回通過するように構成した請求項１記載の電気掃除機。
【請求項３】
電動送風機からの排気が通る排気経路を、フィルターの一部を通過させる第一の通路と、フィルターの残り部分を通過させる第二の通路から構成した請求項１または２記載の電気掃除機。
【請求項４】
第一の通路と第二の通路とを区画する仕切り部を、フィルターの略中央部に配設した請求項１〜３のいずれか１項に記載の電気掃除機。
【請求項５】
第一排気口部と第二排気口部とを、本体の長手方向の中心軸に対し略直角方向に略並行となるよう配置した請求項１〜４のいずれか１項に記載の電気掃除機。
【請求項６】
第二排気口部を、フィルターの後方に配置した請求項１〜６のいずれか１項に記載の電気掃除機。
【請求項７】
第二排気口部を回動自在に開閉する蓋体を設け、前記蓋体が前記第二排気口部を閉塞する方向へ回動したとき、前記蓋体がフィルターに接触するように構成した請求項６記載の電気掃除機。
【請求項８】
第二排気口部を回動自在に開閉する蓋体を設け、前記蓋体は弾性体を有するとともに、前記蓋体が前記第二排気口部を閉塞する方向へ回動したとき、前記弾性体がフィルターに接触するように構成した請求項６電気掃除機。
【請求項９】
弾性体のフィルターに接触する部分の断面形状を、略円弧状とした請求項８記載の電気掃除機。
【発明の詳細な説明】
【０００１】
【発明の属する技術分野】
本発明は、排気をブロアーとして利用できる一般家庭で使用される電気掃除機に関するものである。
【０００２】
【従来の技術】
従来のこの種の電気掃除機は、以下のようなものが一般的であった。この電気掃除機を図１３、図１４を用いて説明する。
【０００３】
図１３、図１４において、掃除機本体１の前方には、集塵用ホース（図示せず）を着脱自在に接続する吸気口２と、この吸気口２に連通する集塵室４が設けられている。
【０００４】
掃除機本体１の後方には塵埃を吸引する電動送風機５が配設され、掃除機本体１の後面には、第二排気口部６と、第一排気口部７が設けられており、前記第二排気口部６には、前記第二排気口部６を開閉する蓋体８が設けられており、この蓋体８はバネ体９によって第二排気口部６を閉塞される方向に付勢されている。
【０００５】
また、この第一排気口部７の内側には、細塵捕集用のフィルター１０が係止されている。
【０００６】
図１３おいて、集中、分散の両排気構成を有する電気掃除機においては、通常第二排気口部６が蓋体８により閉塞されており、矢印Ａのように排気風は第一排気口部７から放出される。また、図１４において、ブロアーとして使用する際は、ホース接続管１１を前記第二排気口部６に接続することにより通常の排気路を蓋体８により遮断して、矢印Ｂで示すように排気風はホース接続管１１内を通り排気を放出していた（例えば、特許文献１参照）。
【０００７】
【特許文献１】
特開昭６１−５０５３５号公報（第１−４頁、第１図）
【０００８】
【発明が解決しようとする課題】
しかしながら上記従来の掃除機本体１で、使用者が、ブロアーとして、ホース接続管１１を第二排気口部６に接続して使用する際、電動送風機５から排気として排出される小さい塵埃はフィルター１０を通らない為、排気風は汚い状態で放出され排気の洗浄度が保てないという課題があった。
【０００９】
また、近年では、高吸込み力化に伴い電動送風機５からの排気の風速、風量も増大しているため、第一排気口部７の内側に形成した細塵捕集用のフィルター１０を通過させただけでは、排気中の小さいゴミは確実に捕集出来ない課題を有していた。
【００１０】
本発明は、上記課題を解決するもので、廉価な構成で、電動送風機から排出される小さいゴミを確実に捕集し、排気の洗浄度を向上させた電気掃除機を提供することを目的とする。
【００１１】
【課題を解決する手段】
上記課題を課題を解決するために本発明は、吸引風を発する電動送風機と、前記電動送風機の吸気下流側に配設した塵埃捕集用のフィルターと、前記電動送風機からの排気を本体外に放出する第一排気口部、第二排気口部とを備え、前記第二排気口部にはアタッチメントおよび／またはアタッチメントに接続された接続部が接続可能であるとともに、前記塵埃捕集用のフィルターを通過後の排気が、前記第一排気口部及び第二排気口部を通過するよう構成したものである。
【００１２】
上記発明によれば、ブロアーとして、ホース接続管を第二排気口部に接続した時、電動送風機から排出される小さいゴミは、フィルターで捕集され、排気風は清潔になる。また、ブロアーとして使用しない状態においても、電動送風機から排出される小さいゴミは、フィルターで捕集され、第一排気口部から放出される排気風も洗浄された空気となり、簡単な構成で、確実に排気の洗浄度を向上させることができる。
【００１３】
【発明の実施の形態】
本発明の請求項１記載の発明は、吸引風を発する電動送風機と、前記電動送風機の吸気下流側に配設した塵埃捕集用のフィルターと、前記電動送風機からの排気を本体外に放出する第一排気口部、第二排気口部とを備え、前記第二排気口部にはアタッチメントおよび／またはアタッチメントに接続された接続部が接続可能であるとともに、前記塵埃捕集用のフィルターを通過後の排気が、前記第一排気口部及び第二排気口部を通過するよう構成したもので、電動送風機から排出される排気に含まれた微細な塵埃はフィルターで捕集され、その後、第一排気口部及び、ブロアーとして使用する第二排気口部から放出される為、汚れた空気を放出することがなく、排気の洗浄度が向上する。
【００１４】
本発明の請求項２記載の発明は、電動送風機からの排気が、フィルターを複数回通過するように構成したもので、一つのフィルターで排気中の細かな塵埃を複数回捕集できることが可能となり、より確実に排気の洗浄度が向上する。
【００１５】
本発明の請求項３記載の発明は、電動送風機からの排気が通る排気経路を、フィルターの一部を通過させる第一の通路と、フィルターの残り部分を通過させる第二の通路から構成したもので、排気通路を複雑にすることなく排気通路圧損が低減され吸込み性能も良好に維持できる。
【００１６】
本発明の請求項４記載の発明は、第一の通路と第二の通路とを区画する仕切り部を、フィルターの略中央部に配設したもので、排気通路の開口面積に影響なく排気通路圧損が低減され、結果的に吸込み性能の低下を防止する。
【００１７】
本発明の請求項５記載の発明は、第一排気口部と第二排気口部とを、本体の長手方向の中心軸に対し略直角方向に略並行となるよう配置したもので、掃除機本体の長手方向の全長を短くでき、ひいては掃除機本体の小型化が実現できる。
【００１８】
本発明の請求項６記載の発明は、第二排気口部を、フィルターの後方に配置したもので、掃除機本体の無駄なスペースを無くし、幅方向の長さを短くでき、掃除機本体の小型化が可能となる。
【００１９】
本発明の請求項７記載の発明は、第二排気口部を回動自在に開閉する蓋体を設け、前記蓋体が前記第二排気口部を閉塞する方向へ回動したとき、前記蓋体がフィルターに接触するように構成したもので、フィルターに捕集された小さい塵埃を叩き落し、フィルターの目詰まりを防止し吸込み性能の低下を抑制する。また、ブロアーとして、ホース接続管を第二排気口部に接続した時は、蓋体が、ホース接続管によって押され自動に回動することより、一つの作業で、フィルターに詰まった小さい塵埃を落とす効果と、ブロアーとして使用できる効果を得ることができる。
【００２０】
本発明の請求項８記載の発明は、第二排気口部を回動自在に開閉する蓋体を設け、前記蓋体は弾性体を有するとともに、前記蓋体が前記第二排気口部を閉塞する方向へ回動したとき、前記弾性体がフィルターに接触するように構成したもので、蓋体がフィルターに当たる個所の摩耗を防止し、結果的に、蓋体の耐久性が良好となり信頼性が向上する。
【００２１】
本発明の請求項９記載の発明は、弾性体のフィルターに接触する部分の断面形状を、略円弧状としたもので、フィルターの傷付けを防止し、結果的に、フィルターの耐久性が良好となり信頼性が向上する。
【００２２】
【実施例】
以下、本発明の第１の実施例について、図１〜図８を用いて説明する。
【００２３】
図１は、本発明の第１の実施例を示す掃除機本体の平面図であり、図２は、その掃除機本体の側面図であり、図３は掃除機本体の後面図である。図４は掃除機本体の側面断面図であり、図５は掃除機本体の平面断面図である。図６は、フィルターを示す部分側面断面図であり、図７は、フィルターを示す部分平面断面図である。図８は、ホース接続管を第二排気口部に挿入した時の部分平面断面図である。
【００２４】
図１〜図８において、掃除機本体１２の後方には、塵埃を吸引するための電動送風機１３を内蔵した電動送風機室１４が設けられており、掃除機本体１２の前方には塵埃を溜める略円形状の集塵室１５が設けられている。また、集塵室１５は掃除機本体１２と着脱自在に構成されている。掃除機本体１２の前方下面には移動用キャスター１６が枢支されており、掃除機本体１２の後方両側面には、一対の移動用車輪１７が回転自在に備えられている。集塵室１５内には、微細な塵埃捕集用のメインフィルター１８と、このメインフィルター１８に回転自在に取付けられた、粗い塵埃を捕集するための略円錐形状でメッシュ部１９を有するプレフィルター２０が設けられている。また、集塵室１５の上部前方には、吸気口２１が備えられており、この吸気口２１は、集塵室１４と連通ている。
【００２５】
塵埃を吸引するホース２２の一端には、ホース接続管２３が設けられており、このホース接続管２３は、吸気口２１と着脱、及び、回動自在に取付けられている。
【００２６】
図５、図７において、掃除機本体１２の後方には、電動送風機１３から放出される排気を外部に放出する第一排気口部である分散排気口２４が形成されており、また、集中排気を利用する時に、アタッチメント４５（図８参照）や、また、前記アタッチメント４５を接続する接続部であるホース２２の一端のホース接続管２３が、挿入できる第二排気口部である集中排気口２５が形成されている。この集中排気口２５には、回動自在に開閉する蓋体２６が配設されており、蓋体２６の回動軸２７にはバネ２８が付勢されており、このバネ２８によってこの蓋体２６を、第二排気口部２４を常時閉塞するように設けられている。電動送風機室１４の後方かつ吸気下流側には、電動送風機１３からの排気を通過させる塵埃捕集用のフィルター２９が備えられている。このフィルター２９は、掃除機本体１２に形成されている仕切りリブ３０の間に備えられており、また、この仕切りリブ３０は、電動送風機１３からの排気が通る排気経路３１も形成している。
【００２７】
図６、図７において、集中排気を利用しない状態では、電動送風機１３から放出される排気は、矢印Ａ方向で示すように掃除機本体１２に形成されている仕切りリブ３０に沿って、フィルター２９を通過し、仕切りリブ３０に形成された開口部３２を通り分散排気口２４から放出される。
【００２８】
図６、図８において、集中排気を利用するブロアーとして使用する際で、ホース接続管２３を集中排気口２５に挿入すると、蓋体２６は、ホース接続管２３に押され、矢印Ｂ方向に回動する。この時、蓋体２６は、仕切りリブ３０に当たり、仕切りリブ３０に形成された開口部３２を塞ぐ、このことより電動送風機１３から排気を、蓋体２６によって遮断される。電動送風機１３からの排気は、矢印Ｃで示すように、掃除機本体１２に形成されている仕切りリブ３０に沿って、フィルター２９を通過し、ホース接続管２３内を通り排気を放出するようになっている。
【００２９】
上記構成において動作、作用を説明する。
【００３０】
集中排気を利用しない状態、及び、集中排気を利用するブロアーとして使用する状態の双方とも、電動送風機１３から排気として排出される微細な塵埃は、一旦フィルター２９で捕集され、捕集された後の排気風は清潔となり、簡単な構成で、確実に排気の洗浄度を向上させることができる。図７において、電動送風機１３からの排気は、掃除機本体１２に形成されている仕切りリブ３０に沿って、フィルター２９の一部を通過させた後、残りのフィルター２９部分を通過している。このことより、一つのフィルター２９で排気中の細かな塵埃を複数回（２度）捕集できることとなり、効率よくフィルター２９を使い、より確実に排気の洗浄度が向上する。
【００３１】
また、図７において、電動送風機１３からの排気は、排気経路３１を連通しフィルター２９の左右どちらか一方を通過させる第一の通路３３と、この第一の通路と反対側にフィルター２９の左右どちらか一方を通過させる第二の通路３４からなり、フィルター２９の略中央部に、第一の通路３３と、第二の通路３４を仕切る壁３５が形成されている。第一の通路３３と、第二の通路３４を仕切る壁３５との反対側は、第一の通路３３と、第二の通路３４が直列接続されている。このことより、簡単な構成で排気の流れを、フィルター２９の一部を通過させた後、残りのフィルター２９部分を通過させることが可能となり、また、排気経路３１を直列とすることより、排気通路圧損が低減され吸込み性能も良好にすることができる。
【００３２】
図７において、電動送風機１３からの排気が、第一の通路３３を連通しフィルター２９を通る面積と、残りの第二の通路３４を連通しフィルター２９を通る面積を略同一なっている。これによって、排気経路３１の開口面積に影響ない排気通路が形成され、排気通路圧損が和らげ、結果的に安定した吸込み性能が維持できる。
【００３３】
図５、図７において、掃除機本体１２に形成された分散排気口２４と集中排気口２５とを、掃除機本体１２の長手方向の中心軸３６に対し略直角方向に略並行となるよう配置したもので、掃除機本体１２の長手方向の全長を短くでき、ひいては掃除機本体１２の小型化が実現できる。また、分散排気口２４及び集中排気口２５とフィルター２９は、掃除機本体１２に形成された分散排気口２４及び、集中排気口２５と、掃除機本体１２の長手方向の中心軸３６に対して水平方向に略直角で縦列配置されている。このことより、図５で示すように、各部品が重なって掃除機本体１２を大きくすることなく、掃除機本体１２の長手寸法Ｌを短くでき、ひいては掃除機本体１２の無駄な空間がなくなり小型化が可能となる。
【００３４】
（実施例２）
図９は本発明の実施例２の掃除機本体の後方要部断面図。図１０はその掃除機本体のホース接続管を蓋体に挿入した時の部分断面平面図。図１１は、掃除機本体のホース接続管を蓋体に挿入した時の部分断面図。図１２は、掃除機本体の蓋体を示す部分平面断面図である。本実施例２は、実施例１から蓋体の開閉に関して詳細に表したものである。なお、実施例１と同符号のものは同一構造を有し、その説明は省略する。
【００３５】
図９、図１０において、掃除機本体１２に形成された集中排気口２５には、回動自在に開閉する蓋体２６が配設されており、この蓋体２６の上部に、板状のリブ３７が形成されている。この板状のリブ３７に相対して、フィルター２９の上部に山状の凹凸３９が設けられている。また、板状のリブ３７の先端側に位置する仕切りリブ３０には開口４０が形成されており、この板状のリブ３７と仕切りリブ３０とが当接しないように構成されている。
【００３６】
図１０において、ホース接続管２３を集中排気口２５に挿入すると、蓋体２６の板状のリブ３７は、ホース接続管２３に押され、矢印Ｄ方向に回動する。この時、板状のリブ３７の先端は、フィルター２９に形成された山状の凹凸３９と当たり、フィルター２９を叩く構成となっている。このことより、ブロアーとして、ホース接続管２３を集中排気口２５に接続した時、自動的にフィルター２９に捕集されていた小さい塵埃は、叩き落とされフィルター２９の目詰まりを防止し吸込み性能の低下を抑制する。
【００３７】
また、図５、図１０において、掃除機本体１２に形成した集中排気口２５は、フィルター２５の後方に配置されている。これによって、蓋体２６の板状のリブ３７で、フィルター２９に形成された山状の凹凸３９を叩く構成が簡単で容易に形成することが可能となり、掃除機本体１２の無駄なスペースを無くし、幅方向の長さＥを短くし、掃除機本体１２の小型化が可能となる。
【００３８】
図１１、図１２において、掃除機本体１２に形成された集中排気口２５には、回動自在に開閉する蓋体２６が配設されており、この蓋体２６の上部には、弾性体である板バネ４１が配設されている。この板バネ４１の蓋体２６側は、略Ｌ字状４２に形成されており、板バネ４１の略Ｌ字状４２は、蓋体２６に形成されたガイドリブ４３によって圧入係止されて、板バネ４１と蓋体２６とが固着されている。
【００３９】
図１２において、ホース接続管２３を集中排気口２５に挿入すると、蓋体２６の板バネ４１は、ホース接続管２３に押され、矢印Ｄ方向に回動する。この時、板バネ４１の先端は、フィルター２９に形成された山状の凹凸３９と当たり、フィルター２９を叩く構成となっている。板バネ４１で、フィルター２９を叩くことより、樹脂等で形成されたフィルター２９の山状の凹凸３９の摩耗を低減する。結果的に、蓋体２６に形成された板バネ４１の強度が確保され、板バネ４１で、フィルター２９を叩く機構の耐久性が向上する。
【００４０】
また、図１２において、蓋体２６に配設した板バネ４１の端部の断面形状を略円弧状４４に形成されている。このことより、フィルター２９に形成された山状の凹凸３９の傷付けを防止し、結果的に、板バネ４１及び、フィルター２９を叩く機構の耐久性がさらに良くなり信頼性が向上する。
【００４１】
【発明の効果】
以上説明したように本発明よれば、吸込み性能を良好に維持でき、また、ブロアーとして使用する第二排気口部及び、第一排気口部から放出される排気の洗浄度を向上させた電気掃除機を提供できる。
【図面の簡単な説明】
【図１】本発明の実施例１における掃除機本体の平面図
【図２】同掃除機本体の側面図
【図３】同掃除機本体の後面図
【図４】同掃除機本体の断面側面図
【図５】同電機掃除機の平面断面図
【図６】同掃除機本体のフィルターを示す部分側面断面図
【図７】同掃除機本体のフィルターを示す部分平面断面図
【図８】同掃除機本体のホース接続管を第二排気口部に挿入した時の部分平面断面図
【図９】本発明の実施例２における同掃除機本体の後方要部断面図
【図１０】同掃除機本体のホース接続管を蓋体に挿入した時の部分断面平面図
【図１１】同掃除機本体のホース接続管を蓋体に挿入した時の部分断面図
【図１２】同掃除機本体の蓋体を示す部分平面断面図
【図１３】従来の電気掃除機の断面側面図
【図１４】同電気掃除機のホース接続管を蓋体に挿入した時の部分構想図
【符号の説明】
１２  掃除機本体
１３  電動送風機
１５  集塵室
２３  ホース接続管
２４  分散排気口（第一排気口部）
２５  集中排気口（第二排気口部）
２６  蓋体
２９  フィルター
３３  第一の通路
３４  第二の通路
【図１】
2005006880.tif 000003
【図２】
2005006880.tif 000004
【図３】
2005006880.tif 000005
【図４】
2005006880.tif 000006
【図５】
2005006880.tif 000007
【図６】
2005006880.tif 000008
【図７】
2005006880.tif 000009
【図８】
2005006880.tif 000010
【図９】
2005006880.tif 000011
【図１０】
2005006880.tif 000012
【図１１】
2005006880.tif 000013
【図１２】
2005006880.tif 000014
【図１３】
2005006880.tif 000015
【図１４】
2005006880.tif 000016